(57)【要約】      （修正有）【課題】形状の組合せの多様化、利用の自由度を向上させ、収納機能のみならず、充電機能も実現できる、機能多様化の収納装置を提供する。【解決手段】収納装置は、少なくとも一つの移動収納箱１０と、少なくとも一つの移動充電器２０とを備え、移動収納箱及び移動充電器には、いずれも接続部品３０が設けられ、接続部品は、移動収納箱及び移動充電器の外面に分散配置され、接続部品により、任意二つの移動収納箱の間、任意二つの移動充電器の間、又は任意一つの移動収納箱と任意一つの移動充電器との間の脱着可能な接続を実現する。利用者の必要に応じて、自由に収納装置を移動させることができるとともに、収納装置の各機能部品を自由に組み合わせることができる。【選択図】図１
0003223157.tif 000002
【実用新案登録請求の範囲】
【請求項１】
少なくとも一つの移動収納箱と、少なくとも一つの移動充電器とを備え、
前記移動収納箱及び前記移動充電器には、いずれも接続部品が設けられ、前記接続部品は、前記移動収納箱及び前記移動充電器の外面に分散配置され、
前記接続部品により、任意二つの前記移動収納箱の間、任意二つの前記移動充電器の間、又は任意一つの前記移動収納箱と任意一つの前記移動充電器との間の脱着可能な接続が実現される
ことを特徴とする収納装置。
【請求項２】
前記移動収納箱は、平板状構造からなり、
前記接続部品が前記移動収納箱の一面に分散配置され、前記移動収納箱の前記接続部品と反対側の面に水平載置面が設けられている
ことを特徴とする請求項１に記載の収納装置。
【請求項３】
前記移動充電器は、平板状構造からなり、
前記接続部品が前記移動充電器の一面に分散配置され、前記移動充電器の前記接続部品と反対側の面に水平載置面が設けられている
ことを特徴とする請求項１に記載の収納装置。
【請求項４】
前記移動収納箱及び前記移動充電器の少なくとも一つには、傾斜支持面が設けられていることを特徴とする請求項１に記載の収納装置。
【請求項５】
前記移動充電器は、モバイルバッテリ、無線充電器、又はモバイルバッテリと無線充電器との組合せであることを特徴とする請求項１に記載の収納装置。
【請求項６】
さらに、少なくとも一つの付加機能部品を備え、
前記付加機能部品に前記接続部品が設けられ、前記接続部品が前記付加機能部品の外面に分散配置され、
前記接続部品により、任意二つの前記付加機能部品の間、任意一つの前記付加機能部品と任意一つの前記移動収納箱との間、又は任意一つの前記付加機能部品と任意一つの前記移動充電器との間の脱着可能な接続が実現される
ことを特徴とする請求項１に記載の収納装置。
【請求項７】
前記付加機能部品には、傾斜支持面が設けられていることを特徴とする請求項６に記載の収納装置。
【請求項８】
前記付加機能部品は、移動手書きタブレット、移動タイマ、移動パネル、移動キーボード、移動電卓、及び移動アンプのうちの少なくとも一つを含むことを特徴とする請求項６に記載の収納装置。
【請求項９】
前記接続部品は、マグネット式接続部品、係合部品、及び面ファスナのうちの少なくとも一つを含むことを特徴とする請求項１乃至８のいずれか一つに記載の収納装置。
【請求項１０】
少なくとも一つの移動収納箱と、移動充電器とを備え、
前記移動収納箱に接続部品が設けられ、前記接続部品が前記移動収納箱の外面に分散配置され、
前記移動充電器は、前記移動収納箱を載せる水平載置面を有する平板状構造からなり、
前記接続部品により、任意二つの前記移動収納箱の間の脱着可能な接続が実現され、前記接続部品は、マグネット式接続部品、係合部品、及び面ファスナのうちの少なくとも一つを含む
ことを特徴とする収納装置。
【考案の詳細な説明】
【技術分野】
【０００１】
本考案は、収納用品の技術分野に関し、特に収納装置に関する。
【背景技術】
【０００２】
収納箱は、日常生活においてよく使われる収納用品であり、いろいろな生活用品、特に、リモコン、筆筒、鍵、はさみ、ホッチキスなどのような小さい品物を収納することができる。しかし、現在の収納箱には、以下の問題がある。（１）収納箱の多くは、オフィス用デスク上、家庭用テーブル上、又は台所などの特定箇所に固定的に取り付けられ、自由に移動することができない。（２）形状を変更することができず、利用者の必要に応じて自由に組み立てることができず、使用の自由度が低い。（３）機能が単一であり、現在の機能多様化の要望を満たせない。
【考案の概要】
【考案が解決しようとする課題】
【０００３】
本考案は、上記の問題を鑑みてなされたものであり、利用者の必要に応じて、自由に移動することができるとともに、各機能部品を自由に組み合わせて多様な形状に形成でき、使用の自由度を向上させ、さらに収納機能のみならず、充電機能を有している多機能化を実現した収納装置を提供する。
【課題を解決するための手段】
【０００４】
収納装置は、少なくとも一つの移動収納箱と、少なくとも一つの移動充電器とを備え、移動収納箱及び移動充電器には、いずれも接続部品が設けられ、接続部品は、移動収納箱及び移動充電器の外面に分散配置され、接続部品により、任意二つの移動収納箱の間、任意二つの移動充電器の間、又は任意一つの移動収納箱と任意一つの移動充電器との間の脱着可能な接続が実現される。
【０００５】
上記収納装置は、物品を収納するための移動収納箱と、電子製品を充電するための移動充電器とを備え、移動収納箱及び移動充電器は、いずれも移動可能又は個別に使用可能な機能部品である。また、移動収納箱及び移動充電器には、いずれも接続部品が設けられ、該接続部品によって、任意二つの移動収納箱の間、任意二つの移動充電器の間、又は任意一つの移動収納箱と任意一つの移動充電器との間の脱着可能な接続を実現することができるので、各機能部品を自由に組み合わせることができる。該設計によって、利用者の必要に応じて、自由に該収納装置を移動させることができるとともに、該収納装置の各機能部品を自由に組み合わせることができる。これによって、形状の組合せの多様化、利用の自由度を向上させ、さらに収納機能のみならず、充電機能も実現できるので、機能多様化の目的を達成できる。
【０００６】
一実施例において、移動収納箱は、平板状構造からなり、接続部品が移動収納箱の一面に分散配置され、移動収納箱の接続部品と反対側の面に水平載置面が設けられている。移動収納箱を載置面が上向きになるように水平に設置することで、移動充電器を直接該載置面に載せることができる。
【０００７】
一実施例において、移動充電器は、平板状構造からなり、接続部品が移動充電器の一面に分散配置され、移動充電器の接続部品と反対側の面に水平載置面が設けられている。移動充電器を載置面が上向きになるように水平に設置することで、移動収納箱を直接該載置面に載せることができる。
【０００８】
一実施例において、移動収納箱及び移動充電器の少なくとも一つには、傾斜支持面が設けられている。傾斜支持面によって、例えば移動端末のような物品を傾斜に支持することができる。
【０００９】
一実施例において、移動充電器は、モバイルバッテリ、無線充電器、又はモバイルバッテリと無線充電器との組合せである。利用者の必要に応じて、該移動充電器は、モバイルバッテリ、無線充電、又は両者の組合せとして使用できる。
【００１０】
一実施例において、該収納装置は、さらに、少なくとも一つの付加機能部品を備え、付加機能部品に接続部品が設けられ、接続部品が付加機能部品の外面に分散配置され、接続部品により、任意二つの付加機能部品の間、任意一つの付加機能部品と任意一つの移動収納箱との間、又は任意一つの付加機能部品と任意一つの移動充電器との間の脱着可能な接続が実現される。付加機能部品は、拡張機能部品として、移動収納箱、移動充電器と同様に、自由に脱着可能になるので、収納装置の機能が大幅に拡張する。
【００１１】
一実施例において、付加機能部品には、傾斜支持面が設けられている。傾斜支持面によって、例えば移動端末のような物品を傾斜に支持することができる。
【００１２】
一実施例において、付加機能部品は、移動手書きタブレット、移動タイマ、移動パネル、移動キーボード、移動電卓、及び移動アンプのうちの少なくとも一つを含む。
【００１３】
一実施例において、接続部品は、マグネット式接続部品、係合部品、及び面ファスナのうちの少なくとも一つを含む。
また、本考案は、さらに、他の形態の収納装置を提供している。
【００１４】
収納装置は、少なくとも一つの移動収納箱と、移動充電器とを備え、移動収納箱に接続部品が設けられ、接続部品が移動収納箱の外面に分散配置され、移動充電器は、移動収納箱を載せる水平載置面を有する平板状構造からなり、接続部品により、任意二つの移動収納箱の間の脱着可能な接続が実現され、接続部品は、マグネット式接続部品、係合部品、及び面ファスナのうちの少なくとも一つを含む。
【考案の効果】
【００１５】
上記収納装置は、物品を収納するための移動収納箱と、電子製品を充電するための移動充電器とを備え、移動収納箱及び移動充電器は、いずれも移動可能及び個別に使用可能な機能部品である。また、移動収納箱には、接続部品が設けられ、該接続部品によって、任意二つの移動収納箱の間の脱着可能な接続が実現され、さらに移動収納箱が移動充電器の載置面に直接載置されることができるので、各機能部品を自由に組み合わせることを実現できる。該設計によって、利用者の必要に応じて、自由に該収納装置を移動させることができるとともに、該収納装置の各機能部品を自由に組み合わせることができる。これによって、形状の組合せの多様化、利用の自由度を向上させ、さらに収納機能のみならず、充電機能も実現できるので、多機能化の目的を実現した。
【図面の簡単な説明】
【００１６】
【図１】本考案の実施例１の収納装置の模式図である。
【図２】図１に示す収納装置の一組合せ形態の模式図である。
【図３】図２に示す収納装置の他の組合せ形態の模式図である。
【図４】図１に示す収納装置の他の組合せ形態の模式図である。
【図５】本考案の実施例２の収納装置の模式図である。
【図６】図５に示す収納装置の一組合せ形態の模式図である。
【図７】本考案の実施例３の収納装置の模式図である。
【考案を実施するための形態】
【００１７】
以下、本考案をより明瞭に理解させるために、図面を参照しながら本考案を全面的に説明する。図面に示す実施例は、本考案の好ましい実施例である。本考案は、数多くの異なる形態で実現されることが可能であり、以下に説明される実施例に限定されない。逆に、これらの実施例を提供することで、本考案の開示内容をより全面的により深く理解させることができる。
【００１８】
本考案において、部品の間の固定は、直接固定されてもよいし、中間物を介して固定されてもよい。また、部品の間の接続は、直接接続されてもよいし、中間物を介して接続されてもよい。
【００１９】
また、定義がない限り、本考案に使用される技術及び科学用語は、当業者が理解したものと同じである。本考案の明細書に使用される用語は、実施例を説明するためのものであり、本考案を限定するものではない。
【実施例１】
【００２０】
図１〜図４は、本考案の一実施例の収納装置１００を示す。
図１に示すように、該収納装置１００は、少なくとも一つの移動収納箱１０と、少なくとも一つの移動充電器２０とを備える。移動収納箱１０及び移動充電器２０には、いずれも接続部品３０が設けられている。接続部品３０は、移動収納箱１０及び移動充電器２０の外面に分散配置されている。接続部品３０により、任意二つの移動収納箱１０の間、任意二つの移動充電器２０の間、又は任意一つの移動収納箱１０と任意一つの移動充電器２０との間が脱着可能に接続できる。
【００２１】
なお、移動収納箱１０及び移動充電器２０は、数多くの形態で実施することが可能である。
本実施例において、移動収納箱１０として、例えば、３つの形状のものが例示され、具体的には、図１に示す台形の第１収納箱１１、２つの柱形状の第２収納箱１２、及び１つの偏平状の第３収納箱１３が例示される。第１収納箱１１の左右両側面及び背面に、接続部品３０が設けられ、第２収納箱１２及び第３収納箱１３の各外面に、接続部品３０が設けられている。
【００２２】
本実施例において、移動充電器２０として、例えば、無線充電器が例示されたが、他の実施例において、モバイルバッテリでもよいし、モバイルバッテリと無線充電器の組合せでもよい。利用者の必要に応じて、該移動充電器２０は、モバイルバッテリ、無線充電器、又は両者の組合せとして使用できる。
【００２３】
なお、本実施例において、該移動充電器２０は、傾斜支持面が設けられている三角形状の構成からなる。傾斜支持面によって、例えば移動端末のような物品を傾斜に支持することができる。また、他の実施例において、移動収納箱１０にも、傾斜支持面が設けられてもよい。
【００２４】
本考案の収納装置１００は、脱着可能の特徴を有するので、付加機能部品４０を設置することによって、より多くの機能を実現することができる。例えば、該収納装置１００は、さらに、少なくとも一つの付加機能部品４０を備えることが可能である。付加機能部品４０にも接続部品３０が設けられている。接続部品３０は、付加機能部品４０の外面に分散配置されている。接続部品３０により、任意二つの付加機能部品４０の間、任意一つの付加機能部品４０と任意一つの移動収納箱１０との間、又は任意一つの付加機能部品４０と任意一つの移動充電器２０との間の脱着可能な接続も実現される。付加機能部品４０は、拡張機能部品として、移動収納箱１０、移動充電器２０と同様に、自由に脱着可能になるので、収納装置１００の機能を大幅に拡張した。
【００２５】
さらに、該付加機能部品４０は、移動手書きタブレット４１、移動タイマ４２、移動パネル、移動キーボード、移動電卓、移動アンプ、及び他の可動式の機能製品のうちの少なくとも１つを含む。
【００２６】
例えば、図１に示すように、本実施例において、該収納装置１００は、さらに移動手書きタブレット４１及び移動タイマ４２を備える。それらの全体の形状は、生産上の金型の作成及び組合せ時の揃いを容易にするため、移動充電器２０と同じように形成されている。
【００２７】
さらに、上記の移動充電器２０の形状と同じように、例えば、図１における移動手書きタブレット４１と移動タイマ４２のような付加機能部品４０にも、例えば移動端末のような物品を傾斜に支持する傾斜支持面が設けられてもよい。
【００２８】
接続部品３０は、複数種を含み、例えば、マグネット式接続部品、係合部品、及び面ファスナのうちの少なくとも１つを含む。
【００２９】
例えば、本実施例において、図１に示すように、該接続部品３０は、マグネット式接続部品であり、具体的には、移動充電器２０と移動収納箱１０の外面に嵌め込む円形の磁石である。磁気吸着によって、機能部品間の組合せ、固定、及び分解を実現する。さらに、異なる極が引き合う磁石で吸着を実現してもよいし、一方の機能部品に磁石が引き合う金属部品を設けることで吸着を実現してもよい。なお、他の実施例において、該磁石は、四角形状、三角形状、又は他の形状に形成されることが可能である。
【００３０】
また、他の実施例において、機能部品の各側面に金具及び磁石を設けてもよい。これにより、機能部品同士の間の組合せをより自由に実現することができる。
【００３１】
また、他の実施例において、係合部品で脱着可能な接続を実現してもよい。例えば、互いに係合できる突起及び凹溝が設けられ、突起と凹溝との係合によって脱着可能な接続を実現することが可能である（レゴ社製のブロックの組合せ形態に似る）。他の実施例において、面ファスナを利用してもよい。
【００３２】
また、他の実施例において、移動収納箱１０は、平板状構造からなってもよい。接続部品３０が移動収納箱１０の一面に分散配置されており、移動収納箱１０の接続部品３０と反対側の表面に水平載置面が設けられている。移動収納箱１０を載置面が上向きになるように水平に設置することで、移動充電器２０を直接該載置面に載せることができる。
【００３３】
他の実施例において、同じように、移動充電器２０も、平板状構造からなる。接続部品３０が移動充電器２０の一面に分散配置されており、移動充電器２０の接続部品３０と反対側の表面に水平載置面が設けられている。移動充電器２０を載置面が上向きになるように水平に設置することで、移動収納箱１０を直接該載置面に載せることができる。
【００３４】
使用される際に、任意個数の移動充電器２０及び任意個数の移動収納箱１０を組み合わせて使用してもよいし、そのうちの１つ又は複数の機能部品を必要な箇所に移動して一時的に使用してもよい。例えば、図２に示すように、移動充電器２０と第１収納箱１１を選んで、接続部品３０によって両者の外面を接続してもよい。また、例えば、図３に示すように、移動充電器２０と第１収納箱１１との背面を接続してもよい。さらにまた、図４に示すように、例えば、移動充電器２０、第１収納箱１１及び２つの第２収納箱１２を組み合わせてもよい。
【００３５】
上記収納装置１００は、物品を収納するための移動収納箱１０と、電子製品を充電するための移動充電器２０とを備え、移動収納箱１０及び移動充電器２０は、いずれも移動可能又は個別に使用可能な機能部品である。また、移動収納箱１０及び移動充電器２０には、いずれも接続部品３０が設けられ、該接続部品３０によって、任意二つの移動収納箱１０の間、任意二つの移動充電器２０の間、又は任意一つの移動収納箱１０と任意一つの移動充電器２０との間の脱着可能な接続を実現することができるので、各機能部品を自由に組み合わせることができる。該設計によって、利用者の必要に応じて、自由に該収納装置１００を移動させることができるとともに、該収納装置１００の各機能部品を自由に組み合わせることができる。これによって、形状の組合せの多様化、利用の自由度を向上させ、さらに収納機能のみならず、充電機能も実現できるので、機能多様化の目的を達成できる。
【実施例２】
【００３６】
図５と図６に示すように、本考案は、さらに、他の形態の収納装置１００を提供している。
本実施例と実施例１との相違点は、本実施例の収納装置１００において、移動充電器２０が、移動収納箱１０を直接載せる水平載置面を有する平板状構造からなる。
【００３７】
図５に示すように、該収納装置１００は、少なくとも一つの移動収納箱１０と、移動充電器２０と、を備え、移動収納箱１０にそれぞれ接続部品３０が設けられている。接続部品３０は、移動収納箱１０の外面に分散配置されている。移動充電器２０は、移動収納箱１０を載せる水平載置面を有する平板状構造からなる。接続部品３０は、任意二つの移動収納箱１０の間の脱着可能な接続を実現するためのものである。
【００３８】
実施例１と同じように、本実施例において、接続部品３０は、マグネット式接続部品、係合部品、及び面ファスナのうちの少なくとも１つを含む。
【００３９】
例えば、図６に示すように、上記の第１収納箱１１、第２収納箱１２及び第３収納箱１３を組み合わせてから、移動充電器２０の載置面に載せてもよい。ここで、移動充電器２０は、モバイルバッテリ、無線充電器又はモバイルバッテリと無線充電器の組合せでもよい。
【００４０】
本実施例のその他の構成は、実施例１と同じ又は類似しているので、ここでは省略する。
【００４１】
上記収納装置１００は、物品を収納するための移動収納箱１０と、電子製品を充電するための移動充電器２０とを備え、移動収納箱１０及び移動充電器２０が、いずれも移動可能及び個別に使用可能な機能部品である。また、移動収納箱１０には、いずれも接続部品３０が設けられ、接続部品３０によって、任意二つの移動収納箱１０の間の脱着可能な接続が実現され、さらに移動収納箱１０を移動充電器２０の載置面に直接載せることができるので、各機能部品を自由に組み合わせることができる。この設計によって、利用者の必要に応じて、自由に収納装置１００を移動させることができるとともに、収納装置１００の各機能部品を自由に組み合わせることができる。これによって、形状の組合せの多様化、利用の自由度を向上させ、さらに収納機能のみならず、充電機能も実現できるので、多機能化の目的を実現した。
【実施例３】
【００４２】
図７に示すように、本考案は、さらに、他の形態の収納装置１００を提供している。
本実施例と実施例１、実施例２との相違点は、本実施例の収納装置１００において、実施例１と実施例２の移動充電器２０が同時に設けられていることである。図７に示すように、少なくとも２つの移動充電器２０が設けられ、そのうち、少なく一つの移動充電器２０の外面に接続部品３０が設けられ、さらに少なくとも一つの移動充電器２０が、移動収納箱１０を直接載せる水平載置面を有する平板状構造からなる（図７において、区別するため、第１充電器２１と第２充電器２２として示す）。本実施例によって、実施例１と実施例２に比べてより多くの組合せ形態を実現できる。
【００４３】
本実施例のその他の構成は、実施例１と実施例２を参照できるので、ここでは省略する。
【００４４】
上記の実施例の各技術特徴を任意に組み合わせることが可能であり、便宜のため、実施可能な全ての組合せを説明しなかったが、これらの技術特徴の組合せに矛盾がない限り、いずれも本実用新案登録請求の範囲に含まれる。
【００４５】
上記の実施例は、本考案の好ましい実施形態に過ぎず、詳しく説明したが、考案の保護範囲を制限しないものであると理解すべきである。また、当業者は、本考案の趣旨に基づいて、変更及び改良を行うことができ、これらも本考案の保護範囲に含まれる。このため、本考案の保護範囲は、実用新案登録請求の範囲に準ずる。
【符号の説明】
【００４６】
１００-収納装置、
１０-移動収納箱、１１-第１収納箱、１２-第２収納箱、１３-第３収納箱、
２０-移動充電器、２１-第１充電器、２２-第２充電器、
３０-接続部品、
４０-付加機能部品、４１-移動手書きタブレット、４２-移動タイマ
【図１】
0003223157.tif 000003
【図２】
0003223157.tif 000004
【図３】
0003223157.tif 000005
【図４】
0003223157.tif 000006
【図５】
0003223157.tif 000007
【図６】
0003223157.tif 000008
【図７】
0003223157.tif 000009